【事件の表示】
　平成　７年特許願第５０１７６０号「直接マルチ−レベルフィリングによるラスタ形状合成」拒絶査定に対する審判事件［平成　６年１２月２２日国際公開、ＷＯ９４／２９８１２、平成　８年１１月１９日国内公表、特表平　８−５１１１１９］について、次のとおり審決する。
【結　論】
　本件審判の請求は、成り立たない。
【理　由】
 １　手続の経緯
　本願は、１９９４年４月２７日（パリ条約による優先権主張１９９３年６月１日、米国）を国際出願日とする出願であって、平成９年１１月２７日付け、及び平成１１年６月１日付けで明細書について手続補正がされた後、平成１２年２月２１日付けで拒絶査定がされ、これに対し平成１２年５月２９日付けで審判請求がされ、その後、平成１２年６月２８日付けで明細書及び図面について手続補正がされたものである。
　なお、前記平成１２年６月２８日付けでなされた手続補正は、平成１３年７月３日付けで当審において補正却下された。
２　特許法第２９条第２項の特許要件について
　(1) 本願発明
　本願の請求項２０に係る発明（以下「本願発明」という。）は、平成９年１１月２７日付け、及び平成１１年６月１日付けの手続補正書により補正された明細書および図面の記載からみて、特許請求の範囲の請求項２０に記載された次のとおりのものである。
「複数カラーの１つのカラーで各々が着色可能なピクセルの格子体を用い画像を表示し前記画像の近似を形成させるラスタ表示装置；
　各々が前記ラスタ表示装置の分解能で制限されない少なくとも１つの閉じた輪郭を有する輪郭により表現される理想的な形状を記憶する記憶手段；
　前記パラメータ入力と前記記憶手段に結合され装置の分解パラメータを受け前記ラスタ表示のピクセルグリッドに前記記憶手段から受けた理想的な形状を関係づける関係形成手段；および、
　前記関係形成手段に結合され前記輪郭の内部及び外部に完全にあると確かめられたピクセルの直接的なマルチレベルのフィリングを行い前記輪郭内部又は外部にある前記境界ピクセルのサブピクセル領域に基づき境界ピクセルに対するカラー値を計算する、直接的なマルチレベルのフィリング手段；
を具備するワークステーションであって、前記直接的なマルチレベルのフィリング手段は、
　前記輪郭を受理するよう結合され前記の輪郭を横断し前記の境界ピクセルを識別する輪郭横断手段、
　前記の輪郭横断手段に結合され、各境界ピクセルについての補正値を記憶する第１の記憶手段であってこの補正値はカバレージ値に対する局部的補正をあらわすもの、
　前記第１の記憶手段に結合され、カラー値をピクセルに割当てる、その場合にこの割当ては前記の補正値および隣接するピクセルのグローバルな巻回の数から演算されるカラー値を前記の各境界ピクセルに割当てることを包含するものである、フィリング手段、および、
　前記ラスタ表示装置上の表示のために前記の演算されたカラー値を記憶する第２の記憶手段、
を具備するワークステーション。」
 (2)　引用刊行物
  これに対して、原査定の拒絶の理由に引用された特開平４−３３８９９９号公報（平成年４月１１月２６日出願公開。以下「引用例１」という。）には、「図形処理装置」に関する発明について、図面と共に以下の記載がある。
　(ア)「本発明は出力画像のエッジ部のギザギザを除去するアンチエイリアシング処理を実行する図形処理装置に関し、より詳細には、アンチエイリアシング処理を高速に実行する図形処理装置に関する。」（２頁右欄３６行〜３９行）
　(イ)「コンピュータ・グラフィクスの分野ではその出力媒体であるＣＲＴに画像を表示する際、その表示画像をより美しくするためにアンチエイリアシング処理という手法が用いられている。この処理は、図５８(a)に示すような階段状のギザギザ部分（エイリアスと呼ばれる）に輝度変調をかけ、視覚的に表示画像を図５８(b)に示すように滑らかにするものである。（中略）均一平均化法は、各ピクセル（画素）をＮ*Ｍ（Ｎ，Ｍは自然数）のサブピクセルに分解し、高解像度でラスタ計算を行った後、各ピクセルにの輝度をＮ*Ｍサブピクセルの平均をとって求めるものである。図５９(a),(b)を参照して均一平均化法によるアンチエイリアシング処理を具体的に説明する。あるピクセルに画像の端がかかっている場合（ここでは斜めの線の右下に画像がつながっているものとする）、アンチエイリアシング処理を行わないときは、同図(a) に示すように、このピクセルの輝度ｋｉｄには表示できる輝度の最高輝度（例えば、２５６階調ではｋｉｄ＝２５５）が割り当てられる。このピクセルにＮ＝Ｍ＝７の均一平均化法によるアンチエイリアシング処理を実施する場合、同図(b)に示すように、ピクセル７*７のサブピクセルに分解し、画像に覆われているサブピクセル数をカウントする。そのカウント数（２８)を１ピクセル中の全サブピクセル数（この場合、４９）で割って規格化（平均化）したものを最高輝度（２５５）に掛け、そのピクセルの輝度を算出する。このように均一平均化法では、各ピクセルに画像がどのようにかかっているかを考慮に入れてそのピクセルの輝度を決める。（中略）畳み込み積分法は、１つのピクセルの輝度を決定するにあたり、その周りのピクセルの様子も参照する方法である。即ち、輝度を決定しようとする１ピクセルの周りＮ’ＸＮ’ピクセルを、均一平均化法或いは重み付け平均化法のピクセルに対応するものと考える。図６２は３Ｘ３ピクセル参照の畳み込み積分法を示す。この図で、輝度を決定しようとしているピクセルを６２０１で示す。画像は斜めの線の右下に続いており、黒く塗ったサブピクセルがカウントされるサブピクセルである。各ピクセルは、４*４に分割されている。従って、この場合はフィルターとして１２*１２のものを用いることになる。この方法はベクトル画像に含まれる高周波成分を除去する効果がある。」（２頁右欄４１行〜３頁右欄１２行）
　(ウ)「画像形成システムは、ＰＤＬ言語（本実施例ではポストスクリプト言語を使用）で記述された文書を作成するホストコンピュータ１００と、ホストコンピュータ１００からページ単位で送られてきたＰＤＬ言語をアンチエイリアシング処理を施しながら、赤（Ｒ），緑（Ｇ），青（Ｂ）の３色のイメージ画像に展開するＰＤＬコントローラ（実施例１の図形処理装置）２００と、（中略）画像処理装置４００の出力する多値イメージデータを印字する多値カラー・レーザー・プリンタ５００と、ＰＤＬコントローラ２００，画像読取り装置３００，画像処理装置４００，及び、多値カラー・レーザー・プリンタ５００を制御するシステム制御部６００とから構成される。」（６頁左欄４６行〜右欄１２行）
　(エ)「図８は、ＰＤＬコントローラ２００の構成を示し、ホストコンピュータ１００から送られてきたＰＤＬ言語を受信する受信装置２０１と、受信装置２０１で受信したＰＤＬ言語の格納制御及びアンチエイリアシング処理の実行を行うＣＰＵ２０２と、内部システムバス２０３と、内部システムバス２０３を介して受信装置２０１から転送させるＰＤＬ言語を格納するＲＡＭ２０４と、アンチエイリアシング処理プログラム等を格納したＲＯＭ２０５と、アンチエイリアシング処理を施した多値のＲＧＢイメージデータを格納するページメモリ２０６と、ページメモリ２０６に格納したＲＧＢイメージデータを画像処理装置４００に転送する送信装置と２０７と、システム制御部６００との送受信を行うＩ／Ｏ装置２０８とから構成される。」（６頁右欄１４行〜２７行）
　(オ)「ＰＤＬコントローラ２００は、前述したようにホストコンピュータ１００からページ単位で送られてきたＰＤＬ言語をアンチエイリアシング処理を施しながら赤（Ｒ），緑（Ｇ），青（Ｂ）の３色のイメージ画像に展開する。【００３７】ＰＤＬ言語では、グラフィックスも文字も全てベクトルデータで記述されており、（中略）先ず、ＰＤＬ言語を入力すると、その要素が曲線ベクトルか否か判定し、曲線ベクトルの場合はこれを直線ベクトルに近似して、直線要素（ライン）として作業エリアに登録する。これを１つのパス内の全ての図形及び文字要素について行い、パス単位で作業エリアへ直線要素の登録を実施する（処理１）。【００３９】そして、このパス単位に登録した作業エリアの直線要素を直線の開始ｙ座標によりソーティングする（処理２）。【００４０】次に、処理３により、ｙ座標を１つずつ更新しながら、走査線による塗りつぶし処理を行う。例えば、図１０に示すパスの塗りつぶし処理を実施する場合、処理する走査線ｙｃ（本実施例では、前述したＹｏ・Ｙ１スキャンラインのように１画素分の厚みをもったものをスキャンラインとして記載し、厚みをもたない直線を示す場合のスキャンラインを走査線と記載する）の横切る辺の要素と、その走査線ｙｃを横切ったｘ座標の実数値（図１０に示すｘ１，ｘ２，ｘ３，ｘ４）とをＡＥＴ（Ａｃｔｉｖｅ　Ｅｄｇｅ　Ｔａｂｌｅ：走査線上に現れるエッジ部のｘ座標をを記録するテーブル）に登録する。（中略）アンチエイリアシング処理はこの塗りつぶし処理において、エッジ部のピクセルの濃度及び輝度を近似面積率に応じて調整することで実現する。」（６頁右欄４２行〜７頁左欄３７行）
　(カ)「図１１のフローチャートに示す処理は、処理３のスキャンラインによる塗りつぶし処理において、エッジ部画素（或いはエッジ部画素群）が検出された場合にサブルーチンとしてコールされる。（中略）ここで、図１２(a)の図形が、例えば、背景色が白（最高輝度：２５５）の上に図形色が赤（最高輝度：２５５）で描画されているとすると、近似面積率ｋ（図１３参照）より、図形の各色毎の輝度値Ｋｒ（赤），Ｋｇ（緑），Ｋｂ（青）が以下の式に基づいて求められる。
Ｋｒ＝ＫＲ１ｘｋ+ＫＲ２（１−ｋ）
Ｋｇ＝ＫＧ１ｘｋ+ＫＧ２（１−ｋ）
Ｋｂ＝ＫＢ１ｘｋ+ＫＢ２（１−ｋ）
【００４６】但し、ＫＲ１，ＫＧ１，ＫＢ１，はそれぞれ上記（ロ）で与えられる図形の色（それぞれ赤，緑、青）の輝度値を示しＫＲ２，ＫＧ２，ＫＢ２は以前に塗られた各色の輝度値を示す。尚、ＫＲ２，ＫＧ２，ＫＢ２はページメモリ２０６のＲＧＢに対応する各プレーンメモリ部のデータを参照する。このようにして求められた輝度値Ｋｒ，ｋｇ，ｋｂの輝度値は、図１４(a),(b),(c)に示すように、ページメモリ２０６の該当するプレーンメモリ部にＲＧＢデータとして格納される。ここで、比較のためにアンチエイリアシング処理を施していない場合のＲＧＢイメージデータを図１５(a),(b),(c)に示す。」（７頁右欄３９行〜８頁１８行）
 (キ)「実施例１のアンチエイリアシング処理及びその装置を適用した画像形成システムでは、前述した構成及び動作によって、図１２(a)に示した五角形ＡＢＣＤに対して、最終的に図３１に示すトナー像が記録紙上に形成される。一般的なレーザー・プリンタの解像度が２４０〜４００ｄｐｉであることを考慮すると、図形のエッジ部の濃度がアンチエイリアシング処理によって視覚的に薄くなる。」（１１頁右欄３７行〜４４行）
 (ク)「本発明の図形処理装置をＰＤＬコントローラとして組み込んだ画像形成システムを実施例４として、アンチエイリアシング処理の概要を説明する。尚、その他は実施例１と同様につき構成及び動作の説明を省略する。実施例４の図形処理装置（以下、ＰＤＬコントローラと記載する）は、エッジ部画素の近似面積率ｋを、ベクトルデータがエッジ部画素を通過する際に形成する２つの交点の何れかのＸ座標値或いはＹ座標値の小数部を用いて、演算（近似計算）によって求めるものである。（中略）先ず、図５３(a),(b),(c),(d)を参照して、処理対象となるスキャンライン上においてベクトルデータによって形成されるエッジ部画素が１個の場合について説明する。（中略）同図(a)は、エッジ部画素数が１個で、且つ、左・上エッジの場合を示す。この場合の近似面積率ｋは、入出力座標値Ｘｄ（画像部から離れた交点）のＸ座標値の小数部ｃを用いて、ｋ＝１−ｃで求める。換言すれば、１画素の面積を１ｘ１の四角形の面積として、エッジ部画素の画像部分の面積を、図示の如く、（１−ｃ）の部分に近似するものである。【０１０５】同図(b)は、エッジ部画素数が１個で、且つ、左・下エッジの場合を示す。この場合の近似面積率ｋは、入出力座標値Ｘｄ（画像部から離れた交点）のＸ座標値の小数部を用いてｋ＝１−ｃで求める。【０１０６】同図(c)は、エッジ部画素数が１個で、且つ、右・上エッジの場合を示す。この場合の近似面積率ｋは、入出力座標値Ｘｄ（画像部から離れた交点）のｘ座標値の小数部ｃを用いて、ｋ＝ｃで求める。【０１０７】同図(d)は、エッジ部画素数が１個で、且つ、右・下エッジの場合を示す。この場合の近似面積率ｋは、入出力座標値Ｘｄ（画像部から離れた交点）のＸ座標値の小数部を用いて、ｋ＝ｃで求める。【０１０８】次に、図５４(a)，(b),(c),(d)を参照して、処理対象となるスキャンライン上においてベクトルデータによって形成されるエッジ部画素が複数個存在する場合について説明する。（中略）同図(a)は、エッジ部画素数が複数個で、且つ、左・上エッジの場合を示す。この場合の近似面積率ｋは、入出力座標値Ｘｃ（画素部に近い交点）のＹ座標値の小数部ｃを用いて、ｋ＝１−ｃで求める。（中略）同図(b)は、エッジ部画素数が複数個で、且つ、左・下エッジの場合を示す。この場合の近似面積率ｋは、入出力座標値Ｘｃ（画像部に近い交点）のＹ座標値の小数部ｃを用いて、ｋ＝ｃで求める。（中略）【０１１８】前述した左エッジ処理及び右エッジ処理のアンチエイリアシング処理を施した後、図形内部の処理において、これら左右のエッジ部画素に挟まれた図形内部の塗りつぶしを行う。このように処理すべきエッジ部を８通りに分類し、それに応じて、Ｙ座標値或いはＸ座標値の小数部を適宜選択し、使用することにより、高速にアンチエイリアシング処理を実行することができる。尚、実施例４ではエッジ部画素数が複数個の場合に入出力座標値ＸｃのＹ座標値の小数部ｃを用いて近似面積率ｋを求めたが、入出力座標値ＸｄのＹ座標値の小数部ｃを用いても同様の効果が得られることは明かである。」（１５頁右欄５行〜１７頁左欄１８行）
  (3)　対比・判断
　そこで、本願発明と引用例１に記載された発明とを対比すると、 
　(a)引用例１に記載された発明のＰＤＬコントローラ２００は、ホストコンピュータ１００から入力されたベクトルデータ記述の画像情報を、ＣＰＵ２０２でアンチエイリアシング処理した後、これを図１４の記載から明らかなように、画素（ピクセル）グリッド（格子体）で構成されるページメモリ２０６のＲ・プレーンメモリ部、Ｇ・プレーンメモリ部、及びＧ・プレーンメモリ部にＲＧＢイメージデータとして格納し、該イメージデータを画像処理装置４００を介して多値カラー・レーザ・プリンタ５００に出力し、該多値カラー・レーザ・プリンタ５００は、前記ＲＧＢイメージデータに基づいてトナー像を記録紙に形成するものである（上記(ウ)〜(キ)参照）から、かかる多値カラー・レーザ・プリンタ５００は、本願発明の「複数カラーのうちの１つのカラーで各々が着色可能なピクセルの格子体を用いて画像を表示し前記画像の近似を形成するラスタ表示装置」に相当する。
　(b)引用例１に記載された発明におけるＰＤＬコントローラ２００に設けられたＲＡＭ２０４は、ホストコンピュータ２００から入力されるベクトルデータ記述の画像情報である図形及び文字要素を格納するものであり（上記(エ)、(オ)参照）、このベクトルデータ記述の画像情報である図形及び文字要素は、ラスタ表示装置（多値カラー・レーザ・プリンタ）の分解能で制限されない少なくとも１つの閉じた輪郭を有する輪郭により表現される理想的な形状であることが明かであるから、かかるＲＡＭ２０４は、本願発明の「各々が前記ラスタ表示装置の分解能で制限されない少なくとも１つの閉じた輪郭を有する輪郭により表現される理想的な形状を記憶する記憶手段」に相当する。
　(c)引用例１に記載された発明におけるＰＤＬコントローラ２００に設けられたＣＰＵ２０２は、ＲＡＭ２０４（記憶手段）に記憶された画像情報である図形及び文字要素（理想的な形状）について、エッジ部画素（境界ピクセル）の近似面積率ｋを、ベクトルデータがエッジ部画素を通過する際に形成する２つの交点の何れかのＸ座標値或いはＹ座標値の小数部ｃを用いて求めるものであり（上記(オ)、(ク)参照）、前記エッジ部画素は、画素プレーンメモリ部の格納状況を示す図１４の記載から明らかなように、多値カラー・レーザ・プリンタ（ラスタ表示装置）の画素（ピクセル）グリッドの１つに対応し、また、ベクトルデータとエッジ部画素との交点を求めることは、ベクトルデータ記述の画像情報である図形及び文字要素（理想的な形状）と画素（ピクセル）グリッドとを関係ずけることを意味するものであるから、かかるＣＰＵ２０２は、関係形成手段が「装置パラメータ入力」に「結合」され、「装置の分解パラメータを受け」て「関係づける」ものである点は別として、「前記記憶手段に結合され、前記ラスタ表示のピクセルグリッドに前記記憶手段から受けた理想的な形状を関係づける関係形成手段」である点で、本願発明の「関係形成手段」と一致する。
　(d)引用例１に記載された発明におけるＰＤＬコントローラに設けられたＣＰＵ２０２は、前記したように、ＲＡＭ２０４（記憶手段）に記憶された画像情報である図形及び文字要素（理想的な形状）について、エッジ部画素の近似面積率ｋを、ベクトルデータがエッジ部画素を通過する際に形成する２つの交点の何れかのＸ座標値或いはＹ座標値の小数部ｃを用いて求めた後、図１３及び１４の記載から明らかなように、図形（輪郭）の内部、外部及び境界にある各画素（ピクセル）に対し、前記近似面積率ｋに基づいて各色の輝度値（カラー値）を計算し、直接的なマルチレベルの塗りつぶし（フィリング）処理を行うものであり（上記(オ)、(カ)、(ク)参照）、
　前記塗りつぶし（フィリング）処理において、ベクトルデータ記述の画像情報である図形及び文字要素（理想的な形状）がエッジ部画素を通過する際に形成する２つの交点を求める処理は、図形及び文字要素の輪郭を横断し、エッジ部画素（境界ピクセル）を識別することを意味するものであり、
　前記ＣＰＵ２０２は、エッジ部画素（境界ピクセル）についての近似面積率ｋ（カバレージ値）に対する補正を表す前記Ｘ座標値或いはＹ座標値の小数部ｃ（前記エッジ部画素に含まれる所定領域）を求め、この小数部ｃにより求められる前記近似面積率ｋに基づき、エッジ部画素（境界ピクセル）に対し、図１４に記載されるような輝度値（カラー値）を割り当てるものであり、その場合、前記エッジ部画素（境界ピクセル）に対する輝度値（カラー値）の割り当ては、前記エッジ部画素における小数部ｃ（前記エッジ部画素に含まれる所定領域）から求められる近似面積率ｋと、図形内部の各色毎の輝度値（隣接するピクセルのカラー値）及び以前に塗られた各色の輝度値から演算されるものである（上記(カ)、(ク)参照）から、かかるＣＰＵ２０２は、
　境界ピクセルに対するカラー値を計算するための輪郭内部又は外部にある前記境界ピクセルの所定領域が「サブピクセル領域」である点、
　補正値が「第１の記憶手段」に記憶される点、
　及び、各境界ピクセルに割当てるカラー値が、補正値に加え、「隣接するピクセルのグローバルな巻回の数から演算される」点、は別として、
「前記関係形成手段に結合され、前記輪郭の内部及び外部に完全にあると確かめられたピクセルの直接的なマルチレベルのフィリングを行い、前記輪郭内部又は外部にある前記境界ピクセルの所定領域に基づき境界ピクセルに対するカラー値を計算する、直接的なマルチレベルのフィリング手段」であって、「前記の直接的なマルチレベルのフィリング手段は、前記の輪郭を受理するように結合され前記の輪郭を横断し前記の境界ピクセルを識別する輪郭横断手段、前記の輪郭横断手段の出力を受け、各境界ピクセルについての補正値を、カバレージ値に対する局部的補正を表すものとして求め、カラー値をピクセルに割当てる、その場合にこの割り当ては前記の補正値および隣接するピクセルの色から演算されるカラー値を前記の各境界ピクセルに割当てることを包含するものである、フィリング手段」である点で、本願発明の「マルチレベルのフィリング手段」と一致する。
　(e)引用例１に記載された発明におけるページメモリ２０６は、近似面積率ｋにより求めた図形の各色毎の輝度値（カラー値）を記憶し（上記(カ)参照）、この輝度値は、多値カラー・レーザー・プリンタ（ラスタ表示装置）による表示のために用いられるものである（上記(キ)参照）から、かかるページメモリ２０６は「前記ラスタ表示装置上の表示のために前記の演算されたカラー値を記憶する記憶手段」である点で、本願発明における「第２の記憶手段」と一致する。
　(f)引用例１に記載された発明の図形処理装置は「ワークステーション」である点で本願発明と差異がない。
　したがって、本願発明と引用例１に記載された発明は、
「複数カラーの１つのカラーで各々が着色可能なピクセルの格子体を用いて画像を表示し前記画像の近似を形成するラスタ表示装置、
　各々が前記ラスタ表示装置の分解能で制限されない少なくとも１つの閉じた輪郭を有する輪郭により表現される理想的な形状を記憶する記憶手段、
 前記記憶手段に結合され、前記ラスタ表示装置のピクセルグリッドに前記記憶手段から受けた理想的な形状を関係づける関係形成手段、および
　前記関係形成手段に結合され、前記輪郭の内部及び外部に完全にあると確かめられたピクセルの直接的なマルチレベルのフィリングを行い、前記輪郭内部又は外部にある前記境界ピクセルの所定領域に基づき境界ピクセルに対するカラー値を計算する、直接的なマルチレベルのフィリング手段、
を具備するワークステーションであって、
　前記の直接的なマルチレベルのフィリング手段は、
　前記の輪郭を受理するように結合され前記の輪郭を横断し前記の境界ピクセルを識別する輪郭横断手段、
　前記の輪郭横断手段の出力を受け、各境界ピクセルについての補正値を、カバレージ値に対する局部的補正をあらわすものとして求め、カラー値をピクセルに割当てる、その場合にこの割り当ては前記の補正値および隣接するピクセルの色から演算されるカラー値を前記の各境界ピクセルに割当てることを包含するものである、フィリング手段、および
　前記ラスタ表示装置上の表示のために前記演算されたカラー値を記憶する記憶手段、
を具備するワークステーション」である点で一致し、次の各点で相違する。
　(あ)本願発明における「関係形成手段」は、記憶手段に加えて「装置パラメータ入力」に結合され、「装置の分解パラメータを受け」て前記関係づけを行っているのに対して、引用例１に記載された発明における関係形成手段（ＣＰＵ２０２）は、このような構成を備えていない点。
　(い)本願発明におけるマルチレベルのフィリング手段は、境界ピクセルに対するカラー値を計算するための輪郭内部又は外部にある前記境界ピクセルの所定領域が「サブピクセル領域」であるのに対して、引用例１に記載された発明におけるマルチレベルのフィリング手段（ＣＰＵ２０２）は、境界ピクセル（エッジ部画素）に対するカラー値を計算するための輪郭内部又は外部にある前記境界ピクセルの所定領域が、画像部から離れた交点のＸ座標値の小数部ｃに関係する所定領域である点。
　(う)本願補正発明におけるマルチレベルのフィリング手段は、各境界ピクセルについてのカバレージ値に対する局部的補正を表す補正値が「第１の記憶手段」に記憶されるものとなっているのに対して、引用例１に記載された発明におけるマルチレベルのフィリング手段は、そのようには構成されていない点。
（え）本願発明におけるマルチレベルのフィリング手段は、各境界ピクセルに割当てるカラー値が補正値に加え「隣接するピクセルのグローバルな巻回の数から演算される」ものとなっているのに対して、引用例１に記載された発明におけるマルチレベルのフィリング手段は、各境界ピクセル（エッジ画素）のカラー値を小数部ｃ及び隣接する画素（ピクセル）の色から演算するものであり、「隣接するピクセルのグローバルな巻回の数から演算される」ものとはなっていない点。
　そこで、まず、相違点(あ)について検討すると、画像処理装置においては、印刷装置や表示装置等の出力側の解像度（分解パラメータ）に応じた画像処理行うために解像度変換を行うことが、当業者に周知の技術であるから（必要であれば、特開平４−１００３７６号公報、特開平４−３０７２６８号公報、特開平４−３３９６７３号公報参照）、記憶手段から受けた理想的な形状を前記ラスタ表示装置のピクセルグリッドに関係づける関係形成手段を、記憶手段に加えて「装置パラメータ入力」に結合すると共に、前記関係づけを「装置の分解パラメータを受け」て行うようにすることは、当業者が格別の創意工夫を要することなくなし得ることである。
　次に、相違点(い)について検討すると、境界ピクセル領域をサブピクセル領域に分解し、このサブピクセル領域により前記境界ピクセル領域の輝度値を求めることが、当業者に周知である（必要であれば、上記(イ)、及び原査定で引用した特開平４−２３３０８６号公報参照）から、境界ピクセルに対するカラー値を計算するための輪郭内部又は外部にある前記境界ピクセルの所定領域を「サブピクセル領域」とすることは、当業者が格別の創意工夫を要することなくなし得ることである。
　次に、相違点(う)について検討すると、前段の演算処理により得た値を基に、次段の演算処理を行う場合には、前段の処理により得た値を一旦記憶手段に記憶することが、当業者に周知であるから、輪郭横断手段で分けられた複数のセグメントの組合せに対応させて得た補正値を、第１の記憶手段に記憶するようにすることは、当業者が格別の創意工夫を要することなくなし得ることである。
　次に、相違点(え)について検討すると、注目するピクセルが輪郭の内側にあるか、外側にあるかの判定を巻回の数により行うことは、当業者に周知であり（必要であれば、原査定で引用した特開平２−２６６４８０号公報、特開平３−２２１８８号公報参照）、注目するピクセルのカラー値は、該ピクセルが輪郭の内側にあるか、外側にあるかに関係することが明かであること、また、境界ピクセルの輝度値を周囲のピクセルを参照して決定することは、当業者に周知である（上記(イ)参照）ことを総合勘案すると、カラー値のピクセルへの割当てを、前記の補正値に加え、「隣接するピクセルのグローバルな巻回の数から演算される」ものとすることは、当業者が格別の創意工夫を要することなくなし得ることである。
　そして、本願発明の構成によりもたらされる効果も引用例１に記載された発明、及び前記周知技術から当業者が容易に予測し得る程度のものであり、格別のものではない。
　
 (4)まとめ
　したがって、本願発明は、引用例１に記載された発明、及び周知技術に基づいて、当業者が容易に発明をすることができたものであり、特許法第２９条第２項の規定により特許を受けることができない。
３　特許法第３６条第５項の特許要件について
　ア　本願の特許請求の範囲の請求項１に記載された「基準点を該複数のピクセルの各ピクセルに関連させる段階」は、複数のピクセルの各ピクセルに基準点をどのように関連させるのか「関連」の意味が明かでなく、全体として何を行う段階であるのか、その技術的意味内容が不明である。
　イ　同じく本願の特許請求の範囲の請求項１に記載された「点検される各ピクセルに対する輪郭線の局部的横断の特性にもとづいて点検される各ピクセルの局部的巻回のデータを調整する段階」は、「局部的横断の特性」、「局部的巻回」、及「調整」の意味が不明であり、全体として何を行う段階であるのか、その技術的意味内容が不明である。
　ウ　同じく本願の特許請求の範囲の請求項１に記載された「点検される境界の各ピクセルの補正値を調整し、その場合に該補正値にいま注目されるピクセルの該基準点に対するいま注目されるピクセルの相対的なカバレージ値である、段階」は、意味が不明であり、全体として何を行う段階であるのか、その技術的意味内容が不明である。
　エ　同じく本願の特許請求の範囲の請求項１に記載された「各ピクセルが境界ピクセルでない場合には各ピクセルの巻回の数および内部性の基準から決定される内側のカバレージ値または外側のカバレージ値を割当て」は、その技術的意味内容が不明である。
　したがって、本願の特許請求の範囲の請求項１の記載は、特許を受けようとする発明の構成に欠くことができない事項が不明であるので、特許法第第３６条第５項に規定する要件を満たしていない。
４　結論   
　したがって、本願の特許請求の範囲の請求項２０に係る発明は、特許法第２９条第２項の規定により特許を受けることができず、また、本願は同法第３６第５項に規定する要件を満たしていないから、拒絶をすべきものである。
　よって、結論のとおり審決する。